(57)【要約】【課題】  陳列台や陳列ケースの上にランドセルを立てた状態で安定して載置することができ、しかも簡易な構成で、安価に製造することができるランドセル展示台を提供する。【課題を解決するための手段】  ランドセルＲの下面を支持するための、前向きに下がるように傾斜している支持面１１と、その支持面１１の周囲より立ち上がる周壁１２とを備え、支持面１１の中央に、ランドセルＲの下面に設けられる背負いベルト連結用のダルマ鐶および垂れ蓋を止める錠を収容するための凹所１３が形成され、周壁の前側に、ランドセルＲの背負いベルトＢを通すための切り欠き部１４が形成され、その切り欠き部１４の下端が凹所１３の底面２２と連続しているランドセル展示台１０。【選択図】  図１
0003108464.tif 000002
【実用新案登録請求の範囲】
【請求項１】
ランドセルの下面を支持する支持面と、その支持面の周囲より立ち上がる周壁とを備えているランドセル展示台。
【請求項２】
前記支持面の中央に、ランドセルの下面に設けられる背負いベルト連結用のダルマ鐶および錠を収容するための凹所が形成されている請求項１記載のランドセル展示台。
【請求項３】
前記周壁の一部に、ランドセルの背負いベルトを通すための切り欠き部が形成されている請求項１記載のランドセル展示台。
【請求項４】
前記支持面の中央に、ランドセルの下面に設けられる背負いベルト連結用のダルマ鐶および錠を収容するための凹所が形成されており、前記周壁の一部に、ランドセルの背負いベルトを通すための切り欠き部が形成されており、その切り欠き部の下端が前記凹所の底面と連続している請求項１記載のランドセル展示台。
【請求項５】
前記周壁が、平坦な端縁部と、その端縁部から立ち上がる外壁と、その外壁の上端から内側に延びる天面と、その天面の内縁から下向きに延びる内壁とを備えており、
前記凹所が支持面の内縁から下向きに延びる内周面と、その内周面の下端から内側に延びる底面とを備えており、
その底面と、前記端縁部と、切り欠き部の下端とが面一であり、
シートから形成した請求項４記載のランドセル展示台。
【請求項６】
熱可塑性樹脂シートを熱プレス加工して成形した請求項５記載のランドセル展示台。
【請求項７】
前記支持面がランドセルの背負い面側に向かって下降するように傾斜している請求項１、２、３、４、５または６のいずれかに記載のランドセル展示台。
【請求項８】
前記支持面に、ランドセルの背負い面の下端を収容する溝が形成されている請求項１、２、３、４、５または６のいずれかに記載のランドセル展示台。
【考案の詳細な説明】
【技術分野】
【０００１】
本考案はランドセル展示台に関する。さらに詳しくは、ランドセルを販売店の店頭で展示するときにランドセルを立てた状態で展示するためのランドセル展示台に関する。
【背景技術】
【０００２】
【特許文献１】登録実用新案第３１０１１１６号公報
【特許文献２】登録実用新案第３０１６２４７号公報
【０００３】
ランドセルを店頭に展示する場合、展示ケースなどの上に立てているが、背当て板の下端が収納部の下端より突出しているので、垂れ蓋の側が下がるように傾斜するので、不安定である。また、背負いベルトが背当て板の下端に敷かれる形になるため、さらに、背負いベルトの下端を収納部に連結するためのダルマ鐶が収納部の下面から突出しているため、一層不安定である。なお、安定に載置するには、ランドセルを寝かせることも考えられるが、使用時の形態と異なるため、展示の効果が低い。
【０００４】
このような問題を解消するものとして、特許文献１は、ランドセルの背当て面の上部に設けられている吊り鐶を利用し、店内の壁面に設けた陳列バーにランドセルを吊すための陳列用具を提案している。この陳列用具は、図６に示すように、ランドセル１００の吊り鐶１０１を吊すためのフック部１０２と、ランドセル１００が傾かないように背負い面に当接する突っ張り部１０３と、その突っ張り部１０３とフック部１０２とを連結する垂下連結部１０４と、それらを商品陳列バー１０５に引っかけるための嵌合部１０６とを備えている。フック部１０２は金属板製であり、垂下連結部１０４、嵌合部１０６および突っ張り部１０３は１本の金属棒を折り曲げて形成している。
【０００５】
他方、特許文献２には、特許文献１の陳列用具とほぼ同様の構成の板状の係止部と、その係止部を収容するガラスケースとからなる、記念用のミニチュアランドセルを飾るための飾りケースを提案している。
【考案の開示】
【考案が解決しようとする課題】
【０００６】
前述の特許文献１の陳列用具は、ランドセルに元々備わっている吊り鐶を吊すので、ランドセルを傷めず、使用状態に近い形態で展示しうる利点がある。しかし、壁面などに商品陳列バーが設けられている場合や、あるいは商品陳列バーと同様のバーないし棒を壁面に取り付けることができる場合にしか利用できない。また、吊り下げるための強度が必要であるので、かなり頑丈にしなければならず、コストが高くなりがちである。
【０００７】
本考案は、陳列台や陳列ケースの上にランドセルを立てた状態で安定して載置することができ、しかも簡易な構成で、安価に製造することができるランドセル展示台を提供することを技術課題としている。
【課題を解決するための手段】
【０００８】
本考案のランドセル展示台は、ランドセルの下面を支持する支持面と、その支持面の周囲より立ち上がる周壁とを備えていることを特徴としている（請求項１）。このようなランドセル展示台においては、前記支持面の中央に、ランドセルの下面に設けられる背負いベルト連結用のダルマ鐶および垂れ蓋を止める錠を収容するための凹所が形成されているものが好ましい（請求項２）。さらに前記周壁の一部に、ランドセルの背負いベルトを通すための切り欠き部が形成されているものが好ましい（請求項３）。
【０００９】
また、前記支持面の中央に、ランドセルの下面に設けられる背負いベルト連結用のダルマ鐶および錠を収容するための凹所が形成されており、前記周壁の一部に、ランドセルの背負いベルトを通すための切り欠き部が形成されており、その切り欠き部の下端が前記凹所の底面と連続しているものが好ましい（請求項４）。
【００１０】
その場合、前記周壁が、平坦な端縁部と、その端縁部から立ち上がる外壁と、その外壁の上端から内側に延びる天面と、その天面の内縁から下向きに延びる内壁とを備えており、前記凹所が支持面の内縁から下向きに延びる内周面と、その内周面の下端から内側に延びる底面とを備えており、その底面と、前記端縁部と、切り欠き部の下端とが面一であり、シートから形成したものが一層好ましい。とくに、熱可塑性樹脂シートを熱プレス加工して成形したものが好ましい。            
【００１１】
前記いずれのランドセル展示台においても、前記支持面がランドセルの背負い面側に向かって下降するように傾斜しているものが好ましい。また、前記支持面に、ランドセルの背負い面の下端を収容する溝が形成されているものであってもよい。
【考案の効果】
【００１２】
本考案のランドセル展示台（請求項１）は、ランドセルの下面を支持面に載置すると、ランドセルの下部外周を周壁が支える。そのため、安定して展示しておくことができ、しかもランドセルを上に持ち上げるだけで、容易に展示台から取り外すことができる。また、ランドセルの重量を比較的広い支持面で支えることができるので、それほど高い強度を要せず、簡易な構成にすることができ、安価に製造しうる。
【００１３】
前記支持面の中央に、ランドセルの下面に設けられる背負いベルト連結用のダルマ鐶および錠を収容するための凹所が形成されている場合（請求項２）は、ランドセルの底面から突出しているダルマ鐶および錠が邪魔にならず、一層安定して支持面に載置することができる。
【００１４】
また、前記周壁の一部に、ランドセルの背負いベルトを通すための切り欠き部が形成されている場合（請求項３）は、ダルマ鐶から前方へ延びる背負いベルトの下端近辺が載置の邪魔にならないので、安定して載置することができる。すなわち通常のランドセルでは、背負いベルトは長さ調節が可能なように、上部と下部に分けられており、それらの連結を外した状態でも、下部が邪魔になる。切り欠き部を設けることにより、下部を前側に延ばした状態で、あるいは下部を上部と連結させた状態でも、安定した状態で展示することができる。
【００１５】
前記支持面の中央に、ランドセルの下面に設けられる背負いベルト連結用のダルマ鐶および錠を収容するための凹所が形成されており、前記周壁の一部に、ランドセルの背負いベルトを通すための切り欠き部が形成されており、その切り欠き部の下端が前記凹所の下面と連続しているランドセル展示台（請求項４）においては、ダルマ鐶、錠および背負いベルトのいずれも支持面の載置の邪魔にならない。そのため、とくに安定して展示することができる。
【００１６】
前記周壁が、平坦な端縁部と、その端縁部から立ち上がる外壁と、その外壁の上端から内側に延びる天面と、その天面の内縁から下向きに延びる内壁とを備えており、前記凹所が支持面の内縁から下向きに延びる内周面と、その内周面の下端から内側に延びる底面とを備えており、その底面と、前記端縁部と、切り欠き部の下端とが面一であり、シートから形成したランドセル展示台（請求項５）においては、薄いシートから強度が高いランドセル展示台を構成することができる。そのため、製造コストを一層低減することができる。とくに熱可塑性樹脂シートを熱プレス加工して成形して構成する場合（請求項６）は、強度が高いランドセル展示台を容易に成形することができる。
【００１７】
前記支持面がランドセルの背負い面側に向かって下降するように傾斜している場合（請求項７）は、下向きに突出している背負い面の下部と、ランドセルの背面側とを支持面に載せても、ランドセルが直立状態を維持する。そのため、安定した状態で、しかも見栄えよく展示することができる。さらにランドセルが前側（背当て面側）にずれても、前側の周壁によって支えられるので、それ以上滑らず、安定して展示することができる。
【００１８】
前記支持面に、ランドセルの背負い面の下端を収容する溝が形成されている場合（請求項８）においても、ランドセルを直立状態で安定して展示することができる。
【考案を実施するための最良の形態】
【００１９】
つぎに図面を参照しながら本考案のランドセル展示台の実施の形態を説明する。図１は本考案のランドセル展示台の一実施形態を示す斜視図、図２は図１のランドセル展示台の平面図、図３は図２のIII-III線断面図、図４は図１のランドセル展示台の一部切り欠き正面図、図５は本考案のランドセル展示台の他の実施形態を示す断面図である。
【００２０】
図１に示すランドセル展示台１０は、基本的な構成として、ランドセルＲの下面を支持する支持面１１と、その支持面の周囲より立ち上がる周壁１２とを備えている。前記支持面１１の中央には、ランドセルの下面に設けられる背負いベルト連結用のダルマ鐶および錠を収容するための凹所１３が形成されている。また、前記周壁１２の前側の左右には、それぞれランドセルＲの背負いベルトＢを通すための切り欠き部１４が形成されている（図２参照）。そしてその切り欠き部１４の下端は、前記凹所１３の底面と連続している（図４参照）。切り欠き部１４の間の周壁１２ａは、前側の左右の周壁１２ｂよりも低くされている。
【００２１】
また、図３に示すように、左右の側方の周壁１２ｃの天面１５は前側に向かっていくらか低くなるように傾斜しており、支持面１１も前側に向かって低くなるように傾斜している。この実施形態では、支持面１１は凹所１３を囲むように、前側で開放される凹字状を呈している（図２参照）。
【００２２】
この実施形態では、ランドセル展示台１０の全体は、熱可塑性樹脂シートを熱プレス加工して成形したものであり、強度を確保するため、前記周壁１２は、図３および図４に示すように、平坦な端縁部１７と、その端縁部から立ち上がる外壁１８と、その外壁の上端から内側に延びる天面１９と、その天面の内縁から下向きに延びる内壁２０とを備えている。そして内壁２０の下端は、支持面１１の周囲と連続している。
【００２３】
また前記凹所１３は、支持面１１の内縁から下向きに延びる内周壁２１と、その内周壁の下端から内側に延びる平坦な底面２２とを備えている。その底面２２は前述のように切り欠き部１４の下端と連続しており、さらに前側の端縁部１７と面一に連続している。それにより、前記前側の切り欠き部１４の間の周壁１２ａは、底面２２から独立して突出した形態となっている。
【００２４】
図２に示すように、支持面１１の左右の内縁には円弧状の凹部２３が形成されており、その円弧状の凹部２３は凹所１３の内壁２０に形成された断面円弧状の凹壁（図４の符号２４）と連続して底面２２に至っている。円弧状の凹部２３は、ランドセルＲのダルマ鐶を余裕をもって収容する部位である。
【００２５】
上記のように構成されるランドセル展示台１０は、図１に示すように、前側にランドセルＲの背当て板２６が来るように立てて、その下面を支持面１１に載置する。そのとき、背負いベルトＢは周壁１２の切り欠き部１４に通すようにする。それにより周壁１２がランドセルＲの前後左右の４面の下部と軽く嵌合して、倒れないように支える。また、図３に示すように、ランドセルＲの背当て板２６の下端は、収納部２７の下面２７ａより突出しているが、支持面１１が前向きに下がるように傾斜しているので、ランドセルＲ自体はほぼ水平面に対して垂直に立てることができる。
【００２６】
図３に示すように、後ろ側の周壁１２ｄの外壁１８ａは、背負いベルトＢなどによって隠されないので、この外壁１８ａの面にランドセルＲの商品名、種類、特徴などを、ラベルを貼り付けたり、あるいは印刷したりすることにより、表示することができる。また、図示していないが、左右の周壁１２ｃの外壁１８および前側の左右の周壁２ｂの外壁１８には、補強リブとして、浅い縦溝を多数形成してもよい。また、周壁１１の内壁２０はテーパをつけておくと、ランドセルＲを挿入しやすい。いずれにしても、熱プレス成形などで成形するとき、内壁２０および外壁１８は下にいくについれて間隔が拡がる抜きテーパを設けるが、上記の内壁２０のテーパと同じ方向の傾きであるので、都合がよい。
【００２７】
上記のように、このランドセル展示台１０は、ランドセルＲを立てた状態で、水平面、たとえば展示ケースの上面や、テーブルの上面に、安定して載置することができる。さらに吊して展示する場合のように、壁面に陳列バーを準備する必要がない。また、図３に想像線で示すように、ランドセルＲを周壁１２内に挿入するとき、通常のランドセルでは前側の背当て板２６に設けられているクッション２８や、後ろ側の垂れ蓋２９が弾力性を有するので、比較的しっかりと周壁１１の内面に嵌合させることができる。ただし余裕をもって嵌合させてもよい。さらに一旦、展示台１０に嵌合させたランドセルＲは、展示台１０から容易に抜き取ることもできる。そのため、顧客はランドセルＲを展示台１０から外して子細に眺めたり、試しに背負うことも容易である。
【００２８】
図５はランドセル展示台の他の実施形態を示している。このランドセル展示台３０では、支持面１１を略水平にしており、その前端にランドセルＲの背当て板２６の下部を収容する溝３１が形成されている。他の部分は図１〜４のランドセル展示台１０と実質的に同じである。このランドセル展示台３０も、ランドセルＲを展示ケースの上面など、水平な面の上に縦向きに展示することができ、着脱容易である。
【００２９】
前記実施形態では、切り欠き部１４の下端は底面２２と面一にしている。しかし背負いベルトＢがランドセルＲの背当て板２６の下側をくぐり抜けることができればよく、切り欠き部１４の下端を支持面１１よりいくらか（背負いベルトＢの厚さ分）低くしておく程度でもよい。
【図面の簡単な説明】
【００３０】
【図１】本考案のランドセル展示台の一実施形態を示す斜視図である。
【図２】図１のランドセル展示台の平面図である。
【図３】図２のIII-III線断面図である。
【図４】図１のランドセル展示台の一部切り欠き正面図である。
【図５】本考案のランドセル展示台の他の実施形態を示す断面図である。
【図６】従来のランドセル陳列具の一例を示す斜視図である。
【符号の説明】
【００３１】
１０  ランドセル展示台
Ｒ  ランドセル
１１  支持面
１２  周壁
１２ａ  切り欠き部の間の周壁
１２ｂ  前側の左右の周壁
１２ｃ  側方の周壁
１２ｄ  後ろ側の周壁
１３  凹所
１４  切り欠き部
１５  側方の周壁の天面
１７  端縁部
１８  外壁
１８ａ  後ろ側の周壁の外壁
１９  天面
２０  内壁
２１  内周壁
２２  底面
２３  凹部
２４  凹壁
２６  背当て板
２７  収納部
２７ａ  収納部の下面
２８  クッション
２９  垂れ蓋
３０  ランドセル展示台
３１  溝
【図１】
0003108464.tif 000003
【図２】
0003108464.tif 000004
【図３】
0003108464.tif 000005
【図４】
0003108464.tif 000006
【図５】
0003108464.tif 000007
【図６】
0003108464.tif 000008